(57)【特許請求の範囲】
【請求項１】
室内の気圧を、常圧より高圧に維持可能な居住空間を有する高圧ルームにおいて、
該居住空間を形成し、出入口を有するチャンバと、
該チャンバの出入口を塞ぐことが可能な大きさと形状で、該出入口を開閉する開閉ドアとを備えると共に、
該チャンバ外に配置され該チャンバ内の気圧を上げるための加圧手段とを備え、
該チャンバ内の気圧と該チャンバ外の気圧との差により、該気圧の低い側に向かって該開閉ドアが押圧されることにより、該開閉ドアが、該チャンバの出入口を塞ぐように該出入口に密着し、該チャンバの出入口が該開閉ドアで閉じられ、
該チャンバの出入口の周囲部分又は該開閉ドアの周囲部分で、該チャンバの出入口の周囲部分と該開閉ドアの周囲部分との重なりあう部分に弾性力を有するパッキン部材を有し、
該パッキン部材に、該チャンバの出入口の周囲部分又は該開閉ドアの周囲部分が密着することにより、該開閉ドアが該チャンバを密封し、
該開閉ドアを、該チャンバの出入口を塞いだ状態に保持するロック機構を備え、
該パッキン部材が拡縮することで、該チャンバの出入口と該開閉ドアとの間隔が変化し、該変化に応じて該ロック機構が該開閉ドアを保持又は開放し、
該ロック機構が、該開閉ドアを、該チャンバに挟持する構造で、
該チャンバ内が高圧になることで、該パッキン部材が収縮して該チャンバの出入口と該開閉ドアとの間隔が狭くなり、該ロック機構が該開閉ドアを開放することを特徴とする高圧ルーム。
【請求項２】
前記開閉ドアの前記チャンバの外側の面に、取手を設けたことを特徴とする請求項１記載の高圧ルーム。
【請求項３】
室内の気圧を、常圧より低圧に維持可能な居住空間を有する低圧ルームにおいて、
該居住空間を形成し、出入口を有するチャンバと、
該チャンバの出入口を塞ぐことが可能な大きさと形状で、該出入口を開閉する開閉ドアとを備えると共に、
該チャンバ内に配置され該チャンバ内の気圧を下げるための減圧手段とを備え、
該チャンバ内の気圧と該チャンバ外の気圧との差により、該気圧の低い側に向かって該開閉ドアが吸引されることにより、該開閉ドアが、該チャンバの出入口を塞ぐように該出入口に密着し、該チャンバの出入口が該開閉ドアで閉じられ、
該チャンバの出入口の周囲部分又は該開閉ドアの周囲部分で、該チャンバの出入口の周囲部分と該開閉ドアの周囲部分との重なりあう部分に弾性力を有するパッキン部材を有し、
該パッキン部材に、該チャンバの出入口の周囲部分又は該開閉ドアの周囲部分が密着することにより、該開閉ドアが該チャンバを密封し、
該開閉ドアを、該チャンバの出入口を塞いだ状態に保持するロック機構を備え、
該パッキン部材が拡縮することで、該チャンバの出入口と該開閉ドアとの間隔が変化し、該変化に応じて該ロック機構が該開閉ドアを保持又は開放し、
該ロック機構が、該開閉ドアを、該チャンバに挟持する構造で、
該チャンバ内が低圧になることで、該パッキン部材が収縮して該チャンバの出入口と該開閉ドアとの間隔が狭くなり、該ロック機構が該開閉ドアを開放することを特徴とする低圧ルーム。
【請求項４】
前記開閉ドアの前記チャンバの外側の面に、取手を設けたことを特徴とする請求項３記載の低圧ルーム。
【発明の詳細な説明】
【技術分野】
【０００１】
本発明は、室内の気圧を常圧より高圧に維持可能な居住空間を有する高圧ルーム及び室内の気圧を常圧より低圧に維持可能な居住空間を有する低圧ルームに関する。
【背景技術】
【０００２】
従来より、室内の気圧を常圧より高圧及び低圧に設定して高圧酸素治療や高地トレーニングが行われている。このための高圧低圧ルームであるチャンバが、各種提案されている。例えば、特許文献１の健康増進のための減圧室は、室内を減圧にするための減圧発生設備を備えた健康増進のための減圧室で、室内の圧力を変動させずに該室に出入りするため
の圧力調整部屋を備えている。すなわち、いわゆるエアロックと言われる、減圧室内の気圧低下と空気の損失を最小限にしつつ、人間が減圧室の内外に通過させる装置を有する構造である。
【０００３】
また、特許文献２の加圧ドアの開閉装置は、加圧室を開閉する加圧ドアの開閉装置において、加圧ドアと共に回動する油圧式ロータリアクチュエータと、このロータリアクチュエータに給排される作動油（作動液）を導く閉回路と、この閉回路を流れる作動油に抵抗を付与する絞りと、この絞りを迂回してロータリアクチュエータに給排される作動油を導くバイパス通路と、このバイパス通路を開閉する止め弁とを備え、このロータリアクチュエータが加圧ドアに付与するトルクによって加圧ドアの開閉速度を調節する構成としたものである。
【先行技術文献】
【特許文献】
【０００４】
【特許文献１】特開２００３−２１０６３７号公報
【特許文献２】特開２００４−３５３２３１号公報
【発明の概要】
【発明が解決しようとする課題】
【０００５】
しかしながら、従来の減圧室や加圧ドアの開閉装置においては、ドアを２重構造にしたり、複雑な油圧システムを導入することによりドアの開閉を行っており、高度なメンテナンスが必要であったり、コストが高くなってしまうという問題点がある。
【０００６】
本発明は、このような事情に鑑みてなされたもので、簡易的な構造で開閉ドアでチャンバの出入口を密封可能で、開閉構造のメンテナンスの負担を軽減できる高圧ルーム及び低圧ルームを提供することにある。
【課題を解決するための手段】
【０００７】
請求項１記載の高圧ルームは、居住空間を形成し、出入口を有するチャンバと、チャンバの出入口を塞ぐことが可能な大きさと形状で、出入口を開閉する開閉ドアとを備えると共に、チャンバ外に配置されチャンバ内の気圧を上げるための加圧手段とを備え、チャンバ内の気圧とチャンバ外の気圧との差により、気圧の低い側に向かって開閉ドアが押圧されることにより、開閉ドアが、チャンバの出入口を塞ぐように出入口に密着し、チャンバの出入口が開閉ドアで閉じられ、チャンバの出入口の周囲部分又は開閉ドアの周囲部分で、チャンバの出入口の周囲部分と開閉ドアの周囲部分との重なりあう部分に弾性力を有するパッキン部材を有し、パッキン部材に、チャンバの出入口の周囲部分又は開閉ドアの周囲部分が密着することにより、開閉ドアがチャンバを密封し、開閉ドアを、チャンバの出入口を塞いだ状態に保持するロック機構を備え、パッキン部材が拡縮することで、チャンバの出入口と開閉ドアとの間隔が変化し、変化に応じてロック機構が開閉ドアを保持又は開放し、ロック機構が、開閉ドアを、チャンバに挟持する構造で、チャンバ内が高圧になることで、パッキン部材が収縮してチャンバの出入口と開閉ドアとの間隔が狭くなり、ロック機構が開閉ドアを開放することを特徴とする。
【０００８】
請求項２記載の高圧ルームは、開閉ドアのチャンバの外側の面に、取手を設けたことを特徴とする。
【０００９】
請求項３記載の低圧ルームは、居住空間を形成し、出入口を有するチャンバと、チャンバの出入口を塞ぐことが可能な大きさと形状で、出入口を開閉する開閉ドアとを備えると共に、チャンバ内に配置されチャンバ内の気圧を下げるための減圧手段とを備え、チャンバ内の気圧とチャンバ外の気圧との差により、気圧の低い側に向かって開閉ドアが吸引されることにより、開閉ドアが、チャンバの出入口を塞ぐように出入口に密着し、チャンバの出入口が開閉ドアで閉じられ、チャンバの出入口の周囲部分又は開閉ドアの周囲部分で、チャンバの出入口の周囲部分と開閉ドアの周囲部分との重なりあう部分に弾性力を有するパッキン部材を有し、パッキン部材に、チャンバの出入口の周囲部分又は開閉ドアの周囲部分が密着することにより、開閉ドアがチャンバを密封し、開閉ドアを、チャンバの出入口を塞いだ状態に保持するロック機構を備え、パッキン部材が拡縮することで、チャンバの出入口と開閉ドアとの間隔が変化し、変化に応じてロック機構が開閉ドアを保持又は開放し、ロック機構が、開閉ドアを、チャンバに挟持する構造で、チャンバ内が低圧になることで、パッキン部材が収縮してチャンバの出入口と開閉ドアとの間隔が狭くなり、ロック機構が開閉ドアを開放することを特徴とする。
【００１０】
請求項４記載の低圧ルームは、開閉ドアのチャンバの外側の面に、取手を設けたことを特徴とする。
【００１１】
【発明の効果】
【００１２】
本願の発明によれば、チャンバ内の気圧とチャンバ外の気圧との差により、気圧の低い側に向かって開閉ドアが吸引又は押圧されることにより、開閉ドアが、チャンバの出入口を塞ぐように出入口に密着し、チャンバの出入口が開閉ドアで閉じられることにより、簡易的な構造で開閉ドアでチャンバの出入口を密封可能で、開閉構造のメンテナンスの負担を軽減できる。
【図面の簡単な説明】
【００１３】
【図１】本発明に係る高圧ルーム及び低圧ルームの構成の一例を示す説明図である。
【図２】本発明に係る高圧ルーム及び低圧ルームの第１の実施例を示す正面図及び縦部分断面図である。
【図３】同高圧ルーム及び低圧ルームの横部分断面図である。
【図４】本発明に係る高圧ルーム及び低圧ルームの第２の実施例を示す正面図である。
【図５】同高圧ルーム及び低圧ルームのロック機構の説明図である。
【図６】同高圧ルーム及び低圧ルームのロック機構の動作を示す図４のＡ−Ａ矢線部断面に係る説明図である。
【図７】本発明に係る高圧ルーム及び低圧ルームの第３の実施例を示す正面図及び縦部分断面図である。
【図８】同高圧ルーム及び低圧ルームの横部分断面図である。
【図９】本発明に係る高圧ルーム及び低圧ルームの第４の実施例を示す正面図である。
【図１０】同高圧ルーム及び低圧ルームのロック機構の説明図である。
【図１１】同高圧ルーム及び低圧ルームのロック機構の動作を示す図９のＢ−Ｂ矢線部断面に係る説明図である。
【図１２】本発明に係る高圧ルーム及び低圧ルームの第１及び第３の実施例に取手を設けた様子を示す正面図及び縦部分断面図である。
【発明を実施するための形態】
【００１４】
以下、高圧ルーム及び低圧ルームをまとめて高圧低圧ルームと呼ぶが、以下の説明で示すとおり、高圧低圧ルーム１及び高圧低圧ルーム２は低圧ルームであり、高圧低圧ルーム３及び高圧低圧ルーム４は、高圧ルームである。本願発明に係る高圧低圧ルームは、居住空間であり室内であるチャンバ内の気圧を常圧より高圧又は低圧に維持可能なものである。図１は、本発明に係る高圧ルーム及び低圧ルームの構成の一例を示す説明図である。図１の記載では、説明の便宜上、１つの高圧低圧ルーム１に、居住空間を形成するチャンバ１０と、チャンバ内の気圧を上げるための加圧手段である加圧用コンプレッサ６と、チャンバ内の気圧を下げるための減圧手段である減圧用コンプレッサ７とを備えているように描いているが、実際には、以下で詳細を説明するが、高圧低圧ルーム１及び高圧低圧ルーム２は、低圧ルームとして減圧用コンプレッサ７を備え、加圧用コンプレッサ６を有さず、高圧低圧ルーム３及び高圧低圧ルーム４は、高圧ルームとして加圧用コンプレッサ６を有し、減圧用コンプレッサ７を有していない。
【００１５】
また、チャンバ１０，２０，４０，５０は、人の身体が完全に収まる大きさで、単に横たわって入ることができる大きさから、部屋状の大きさだったり座ったりすることができる大きさや、複数人が入ることができる大きさまで、様々である。そして、チャンバ１０，２０，４０，５０には、出入口１０ａ，２０ａ，４０ａ，５０ａがあり、開閉ドア１２，２２，４２，５２を閉じた状態では、チャンバ内は密閉空間になるような構造である。
【００１６】
加圧用コンプレッサ６は、チャンバ内の気圧を上げるための加圧手段であり、チャンバ４０，５０の外側に配置され、チャンバ内と連通している。加圧用コンプレッサ６は、加圧手段の一例であり、ポンプ等の他の手段であってもかまわない。
【００１７】
減圧用コンプレッサ７は、チャンバ内の気圧を下げるための減圧手段であり、チャンバ１０，２０内に配置され、チャンバ内の空気を押し出すものである。減圧用コンプレッサ７は、減圧手段の一例であり、ポンプ等の他の手段であってもかまわない。
【実施例１】
【００１８】
以下、実施例１について図面を参照しながら具体的に説明する。図２は、本発明に係る高圧ルーム及び低圧ルームの第１の実施例を示す正面図及び縦部分断面図である。図３は、同高圧ルーム及び低圧ルームの横部分断面図である。
【００１９】
本実施例の高圧低圧ルーム１は、チャンバ１０の内部に減圧用コンプレッサ７を備える低圧ルームで、減圧用コンプレッサ７が動作することで、チャンバ１０の内部が減圧される。高圧低圧ルーム１の出入口１０ａの外側には、チャンバ１０の出入口１０ａを塞ぐことが可能な大きさと形状で、出入口１０ａを開閉する開閉ドア１２を備える。図２及び図３に示すように、開閉ドア１２は、出入口１０ａをチャンバ１０の外側から塞いでいる。そして、開閉ドア１２は、蝶番１４で開閉自在に設けられている。また、チャンバ１０の出入口１０ａの周囲部分で、出入口１０ａの周囲部分と開閉ドア１２の周囲部分との重なりあう部分に弾性力を有するパッキン部材１６を有している（パッキン部材１６は、開閉ドア１２の周囲部分に設けられていてもよい）。
【００２０】
このような構造の高圧低圧ルーム１では、図３（ａ）に示すように、チャンバ１０の内部が、まだ減圧されておらず開閉ドア１２が開いた状態で、減圧用コンプレッサ７でチャンバ１０の内部の減圧が行われると、図３（ｂ）に示すように、チャンバ１０の内部の気圧とチャンバ１０の外側の気圧との差により、気圧の低い側に向かって開閉ドア１２が吸引されることにより、開閉ドア１２が、出入口１０ａを塞ぐように出入口１０ａに密着し、出入口１０ａが開閉ドア１２で閉じられることになる。そして、パッキン部材１６に、開閉ドア１２の周囲部分が密着することにより、開閉ドア１２がチャンバ１０を密封することになり、チャンバ１０の内部の気密性が保たれることになる。
【実施例２】
【００２１】
以下、実施例２について図面を参照しながら具体的に説明する。図４は、本発明に係る高圧ルーム及び低圧ルームの第２の実施例を示す正面図である。図５は、同高圧ルーム及び低圧ルームのロック機構の説明図である。図６は、同高圧ルーム及び低圧ルームのロック機構の動作を示す図４のＡ−Ａ矢線部断面に係る説明図である。
【００２２】
本実施例の高圧低圧ルーム２は、実施例１の高圧低圧ルーム１と同様に、チャンバ２０の内部に減圧用コンプレッサ７を備える低圧ルームで、減圧用コンプレッサ７が動作することで、チャンバ２０の内部が減圧される。同様に、高圧低圧ルーム２の出入口２０ａの外側には、出入口２０ａを塞ぐことが可能な出入口２０ａを開閉する開閉ドア２２を備え、開閉ドア２２は、出入口２０ａをチャンバ２０の外側から塞いでいる。そして、開閉ドア２２は、蝶番２４で開閉自在に設けられている。また、出入口２０ａの周囲部分で、出入口２０ａの周囲部分と開閉ドア２２の周囲部分との重なりあう部分に弾性力を有するパッキン部材２６を有している（パッキン部材２６は、開閉ドア２２の周囲部分に設けられていてもよい）。
【００２３】
高圧低圧ルーム２は、開閉ドア２２を、チャンバ２０の出入口２０ａを塞いだ状態に保持するロック機構３０を備えている。ロック機構３０は、略ヘ字のアーム状で、短い辺側のハンドル３０ｂと長い辺側のロック棒３０ｃと、両者の中央に回転軸部３０ａからなり、ロック機構３０は、図５に示すように、回転軸部３０ａを中心に揺動する構造で、チャンバ２０の出入口２０ａ付近に設けられている。そして、図４や図５に示すように、ロック機構３０のロック棒３０ｃが水平になった状態で、開閉ドア２２を係止する部分に、厚板状のロックブロック３２が設けられている。ロックブロック３２は、ロック棒３０ｃが水平になった状態で、ロック棒３０ｃが当接する平坦部分である平坦部３２ａと、平坦部３２ａの下方に向かって厚みが薄くなるように傾斜する傾斜部３２ｂから構成されている（図６参照）。
【００２４】
ロック機構３０の操作方法及び動作を説明すると、まず、開閉ドア２２を、ほぼ閉めた状態でチャンバ２０の内部の減圧を始めると、開閉ドア２２がパッキン部材２６に密着し始めることで、図６（ａ）に示すように、ロック機構３０のハンドル３０ｂを回転させることで、ロック棒３０ｃが、ロックブロック３２の傾斜部３２ｂに掛けられるような状態になる。次に、より一層ハンドル３０ｂを回すと、傾斜部３２ｂがロック棒３０ｃにより押圧され、図６（ａ）の幅ａに示される分だけ、開閉ドア２２がチャンバ２０側に移動する。そして、さらにハンドル３０ｂを回すと、ロック棒３０ｃが水平になり、ロックブロック３２の平坦部３２ａに乗り上げる（図６（ｂ））。この状態で、ロック機構３０のハンドル３０ｂから手を離しても、パッキン部材２６の反発力で、開閉ドア２２がチャンバ２０から遠ざかる方向に付勢された状態になるため、回動しない。
【００２５】
しかし、チャンバ２０の内部の減圧が進むと、開閉ドア２２がさらにチャンバ２０の内側方向に引かれることでパッキン部材２６を圧縮され、開閉ドア２２がチャンバ２０にさらに近づく（図６（ｂ）の幅ｂの分）。すると、図６（ｃ）に示すように、ロック機構３０のロック棒３０ｃが、ロックブロック３２から離れ、ロック機構３０は回動し、ロック機構３０の開閉ドア２２に対するロックは解除されることになる。しかしながら、開閉ドア２２は、チャンバ２０の内部の減圧された状態が維持されている限りにおいては、出入口２０ａに密着し、チャンバ２０を密封した状態が維持される。そして、減圧が終了し、チャンバ２０ａの内部の圧力が高まり、開閉ドア２２の吸引力が低下すると、開閉ドア２２を手動で自由に開閉できる状態になる。尚、ロック棒３０ｃとロックブロック３２との摩擦を軽減させて操作しやすくするために、ロック棒３０ｃを棒軸を中心に回転可能にするようにしてもよい。
【実施例３】
【００２６】
以下、実施例３について図面を参照しながら具体的に説明する。図７は、本発明に係る高圧ルーム及び低圧ルームの第３の実施例を示す正面図及び縦部分断面図である。図８は、同高圧ルーム及び低圧ルームの横部分断面図である。
【００２７】
本実施例の高圧低圧ルーム３は、チャンバ４０の外部に加圧用コンプレッサ６を備える高圧ルームで、加圧用コンプレッサ６が動作することで、チャンバ４０の内部が加圧される。高圧低圧ルーム４０の出入口４０ａの内側には、チャンバ４０の出入口４０ａを塞ぐことが可能な大きさと形状で、出入口４０ａを開閉する開閉ドア４２を備える。図７及び図８に示すように、開閉ドア４２は、出入口４０ａをチャンバ４０の内側から塞いでいる。そして、開閉ドア４２は、蝶番４４で開閉自在に設けられている。また、チャンバ４０の出入口４０ａの周囲部分で、出入口４０ａの周囲部分と開閉ドア４２の周囲部分との重なりあう部分に弾性力を有するパッキン部材４６を有している（パッキン部材４６は、開閉ドア４２の周囲部分に設けられていてもよい）。
【００２８】
このような構造の高圧低圧ルーム３では、図８（ａ）に示すように、チャンバ４０の内部が、まだ加圧されておらず開閉ドア４２が開いた状態で、加圧用コンプレッサ６でチャンバ４０の内部の加圧が行われると、図８（ｂ）に示すように、チャンバ４０の内部の気圧とチャンバ４０の外側の気圧との差により、気圧の低い側に向かって開閉ドア４２が押圧されることにより、開閉ドア４２が、出入口４０ａを塞ぐように出入口４０ａに密着し、出入口４０ａが開閉ドア４２で閉じられることになる。そして、パッキン部材４６に、開閉ドア４２の周囲部分が密着することにより、開閉ドア４２がチャンバ４０を密封することになり、チャンバ４０の内部の気密性が保たれることになる。
【実施例４】
【００２９】
以下、実施例４について図面を参照しながら具体的に説明する。図９は、本発明に係る高圧ルーム及び低圧ルームの第４の実施例を示す正面図である。図１０は、同高圧ルーム及び低圧ルームのロック機構の説明図である。図１１は、同高圧ルーム及び低圧ルームのロック機構の動作を示す図９のＢ−Ｂ矢線部断面に係る説明図である。
【００３０】
本実施例の高圧低圧ルーム４は、実施例３の高圧低圧ルーム３と同様に、チャンバ５０の内部に加圧用コンプレッサ６を備える高圧ルームで、加圧用コンプレッサ６が動作することで、チャンバ５０の内部が加圧される。同様に、高圧低圧ルーム４の出入口５０ａの内側には、出入口５０ａを塞ぐことが可能な出入口５０ａを開閉する開閉ドア５２を備え、開閉ドア５２は、出入口５０ａをチャンバ５０の内側から塞いでいる。そして、開閉ドア５２は、蝶番５４で開閉自在に設けられている。また、出入口５０ａの周囲部分で、出入口５０ａの周囲部分と開閉ドア５２の周囲部分との重なりあう部分に弾性力を有するパッキン部材５６を有している（パッキン部材５６は、開閉ドア５２の周囲部分に設けられていてもよい）。
【００３１】
高圧低圧ルーム４は、実施例２と同様に、開閉ドア５２を、チャンバ５０の出入口５０ａを塞いだ状態に保持するロック機構３０を備えている。そして、図１０や図１１に示すように、ロック機構３０のロック棒３０ｃが水平になった状態で、開閉ドア５２を係止する部分に、開閉ドア５２から伸びるロック板６２が設けられている。ロック板６２は、開閉ドア５２から水平に起立する板材で、上下に細巾で、その面を左右に向けている。ロック板６２の開閉ドア５２側（アーム部６２ａ）は、より細巾で、逆側の端部に略正方形状の板面（本体部６２ｂ）になっている。そして、チャンバ５０の出入口５０ａの近くに穿設されたロック用開口５０ｂを貫通可能な大きさになっている。ロック板６２の本体部６２ｂは、略逆Ｕ字形の溝を有し、その溝は、上方に、ロック棒３０ｃが水平になった状態でロック棒３０ｃが遊嵌される円形部６２ｃと、円形部６２ｃの下方に向かって溝がチャンバ５０の外側に拡がる傾斜部６２ｄと、傾斜部６２ｄに続いて真下に下がる平坦部６２ｅから構成されている（図１１参照）。
【００３２】
ロック機構３０の操作方法及び動作を説明すると、まず、開閉ドア５２を、ほぼ閉めた状態（ロック板６２の本体部６２ｂがロック用開口５０ｂを貫通して、チャンバ５０の外側に出た状態）でチャンバ５０の内部の加圧を始めると、開閉ドア５２がパッキン部材５６に密着し始めることで、図１１（ａ）に示すように、ロック機構３０のハンドル３０ｂを回転させることで、ロック棒３０ｃが、ロック板６２の本体部６２ｂの平坦部６２ｅから傾斜部６２ｄに掛けられるような状態になる。次に、より一層ハンドル３０ｂを回すと、傾斜部６２ｄがロック棒３０ｃにより押圧され、図１１（ａ）の幅ａに示される分だけ、開閉ドア５２がチャンバ５０側に移動する。そして、さらにハンドル３０ｂを回すと、ロック棒３０ｃが水平になり、ロック板６２の本体部６２ｂの円形部６２ｃに嵌まり込む（図１１（ｂ））。この状態で、ロック機構３０のハンドル３０ｂから手を離しても、パッキン部材５６の反発力で、開閉ドア５２がチャンバ５０の内側に向かう方向に付勢された状態になるため、回動しない。
【００３３】
しかし、チャンバ５０の内部の加圧が進むと、開閉ドア５２がさらにチャンバ２０の外側方向に押圧されることでパッキン部材２６を圧縮され、開閉ドア５２がチャンバ５０にさらに近づく（図１１（ｂ）の幅ｂの分）。すると、図１１（ｃ）に示すように、ロック機構３０のロック棒３０ｃが、ロック板６２の本体部６２ｂの円形部６２ｃ内でフリーになり、ロック機構３０は回動し、ロック板６２から抜け落ち、ロック機構３０の開閉ドア５２に対するロックは解除されることになる。しかしながら、開閉ドア５２は、チャンバ５０の内部の加圧された状態が維持されている限りにおいては、出入口５０ａに密着し、チャンバ５０を密封した状態が維持される。そして、加圧が終了し、チャンバ５０ａの内部の圧力が下がり、開閉ドア５２の押圧力が低下すると、開閉ドア５２を手動で自由に開閉できる状態になる。尚、ロック棒３０ｃとロック板６２との摩擦を軽減させて操作しやすくするために、ロック棒３０ｃを棒軸を中心に回転可能にするようにしてもよい。
【００３４】
このような本実施の形態の高圧低圧ルーム１〜４によれば、チャンバ１０，２０，４０，５０内の気圧とチャンバ１０，２０，４０，５０外の気圧との差により、気圧の低い側に向かって開閉ドア１２，２２，４２，５２が吸引又は押圧されることにより、開閉ドア１２，２２，４２，５２が、チャンバ１０，２０，４０，５０の出入口１０ａ，２０ａ，４０ａ，５０ａを塞ぐように出入口１０ａ，２０ａ，４０ａ，５０ａに密着し、チャンバ１０，２０，４０，５０の出入口１０ａ，２０ａ，４０ａ，５０ａが開閉ドア１２，２２，４２，５２で閉じられることにより、簡易的な構造で開閉ドア１２，２２，４２，５２でチャンバの出入口１０ａ，２０ａ，４０ａ，５０ａを密封可能で、開閉構造のメンテナンスの負担を軽減できる。
【００３５】
また、チャンバ１０，２０，４０，５０の出入口１０ａ，２０ａ，４０ａ，５０ａの周囲部分又は開閉ドア１２，２２，４２，５２の周囲部分で、チャンバ１０，２０，４０，５０の出入口１０ａ，２０ａ，４０ａ，５０ａの周囲部分と開閉ドア１２，２２，４２，５２の周囲部分との重なりあう部分に弾性力を有するパッキン部材１６，２６，４６，５６を有し、パッキン部材１６，２６，４６，５６に、チャンバ１０，２０，４０，５０の出入口１０ａ，２０ａ，４０ａ，５０ａの周囲部分又は開閉ドア１２，２２，４２，５２の周囲部分が密着することにより、開閉ドア１２，２２，４２，５２がより一層気密性が高い状態でチャンバ１０，２０，４０，５０を密封することができる。
【００３６】
開閉ドア２２，５２を、チャンバ２０，５０の出入口２０ａ，５０ａを塞いだ状態に保持するロック機構３０を備え、パッキン部材２６，５６が拡縮することで、チャンバ２０，５０の出入口２０ａ，５０ａと開閉ドア２２，５２との間隔が変化し、変化に応じてロック機構３０が開閉ドア２２，５２を保持又は開放することができるようにすると、蝶番等に各種の構造を取り入れる必要がなく、コストや開閉構造のメンテナンスの負担を軽減できる。
【００３７】
さらに、ロック機構３０が、開閉ドア２２，５２を、チャンバ２０，５０に挟持する構造で、チャンバ２０，５０内が高圧又は低圧になることで、パッキン部材２６，５６が収縮してチャンバ２０，５０の出入口２０ａ，５０ａと開閉ドア１２，５２との間隔が狭くなり、ロック機構３０が開閉ドア２２，５２を開放することができるようにすると、通常の使用時は、ロック機構２０が開閉ドア２２，５２を開放した状態なので、非常事態が発生した場合にロック機構３０が解除されないリスクを回避することができる。
【００３８】
尚、上述の高圧低圧ルーム１，２，３，４の開閉ドア１２，２２，４２，５２自体には、人が操作する部分がないことから、開閉ドア１２，２２，４２，５２を開閉しにくいので、例えば、図１２に示すように、開閉ドア１２，４２のチャンバ１０，４２の外側の面に、取手７０を設けることも可能である。
【産業上の利用可能性】
【００３９】
以上のように、本発明によれば、簡易的な構造で開閉ドアでチャンバの出入口を密封可能で、開閉構造のメンテナンスの負担を軽減できる高圧ルーム及び低圧ルームを提供することができる。
【符号の説明】
【００４０】
１・・・・・高圧低圧ルーム
２・・・・・高圧低圧ルーム
３・・・・・高圧低圧ルーム
４・・・・・高圧低圧ルーム
６・・・・・加圧用コンプレッサ
７・・・・・減圧用コンプレッサ
８・・・・・制御装置
１０・・・・チャンバ
１０ａ・・・出入口
１２・・・・開閉ドア
１４・・・・蝶番
１６・・・・パッキン部材
２０・・・・チャンバ
２０ａ・・・出入口
２２・・・・開閉ドア
２４・・・・蝶番
２６・・・・パッキン部材
３０・・・・ロック機構
３０ａ・・・回転軸部
３０ｂ・・・ハンドル
３０ｃ・・・ロック棒
３２・・・・ロックブロック
３２ａ・・・平坦部
３２ｂ・・・傾斜部
４０・・・・チャンバ
４０ａ・・・出入口
４２・・・・開閉ドア
４４・・・・蝶番
４６・・・・パッキン部材
５０・・・・チャンバ
５０ａ・・・出入口
５０ｂ・・・ロック用開口
５２・・・・開閉ドア
５４・・・・蝶番
５６・・・・パッキン部材
６２・・・・ロック板
６２ａ・・・アーム部
６２ｂ・・・本体部
６２ｃ・・・円形部
６２ｄ・・・傾斜部
６２ｅ・・・平坦部
７０・・・・取手
【図１】
0006323956.tif 000002
【図２】
0006323956.tif 000003
【図３】
0006323956.tif 000004
【図４】
0006323956.tif 000005
【図５】
0006323956.tif 000006
【図６】
0006323956.tif 000007
【図７】
0006323956.tif 000008
【図８】
0006323956.tif 000009
【図９】
0006323956.tif 000010
【図１０】
0006323956.tif 000011
【図１１】
0006323956.tif 000012
【図１２】
0006323956.tif 000013